(57)【要約】【課題】密封性や再封性を変えずに上蓋板を開く際の開封性を改良した。【解決手段】一枚の板紙を打ち抜いて得られるブランクシートを組み立てた箱体部（Ａ）と蓋体部（Ｂ）が連設して成る紙製密封容器で、蓋体部（Ｂ）を構成する上蓋板（１８）には蓋体部を変形させるための折り曲げ線（ｇ）が設けれている。折り曲げ線（ｇ）は上板蓋（１８）の両端を直線で結んだり、蓋前面板（１８１）との境界の中央部より略左右対称に背面板（１４）寄りの両隅角に向けて直線で結んだり、背面板寄りの片方の隅角と正面板寄りの片方の隅角を直線で結んだりして形成することができる。【選択図】図３
2004026283.tif 000002
【特許請求の範囲】
【請求項１】
一枚の板紙を打ち抜いて得られるブランクシートを組み立てた箱体部と蓋体部が連設して成る紙製密封容器であって、該蓋体部には、蓋体を変形させるための折り曲げ線が設けられていることを特徴とする、簡易開封式密封紙箱。
【請求項２】
前記折り曲げ線は、蓋体部の一方の端縁からもう一方の端縁にまで形成されていることを特徴とする、請求項１記載の簡易開封式密封紙箱。
【請求項３】
前記紙製密封容器は、正面板と、該正面板の両側縁に設けられた２枚の側面板と、一方の側面板の一側縁に設けられた背面板と、前記２枚の側面板の下縁にそれぞれ設けられた２枚の折り込み片と、前記正面板及び背面板の下縁にそれぞれ設けられた２枚の底面板とを順次折り曲げて構成される箱体部と、
前記背面板の上縁に順次設けられた上蓋板と蓋前面板と、前記上蓋板の両側縁に設けられた蓋側板とを、順次折り曲げて構成される蓋体部と、から成り、
前記２枚の側面板の上縁には、それぞれ上板折り曲げ片が表側及び裏側からそれぞれ切り込まれた２本の半切れ線を介して設けられ、
かつ前記正面板の上縁には、裏側から切り込まれた半切れ線を介して上板片が連設され、上板片の裏側から切り込まれた半切れ線の近傍に前記裏側から切り込まれた半切れ線と平行に２本の表側から切り込まれた半切れ線が設けられ、さらにその先縁に２本の表側から切り込まれた半切れ線と平行に裏側から切り込まれた半切れ線が設けられ、
前記上蓋板の蓋前面板との境界の中央部より略左右対称に上蓋板の背面板寄りの隅角方向に適宜の長さの折り曲げ線が設けられ、該折り曲げ線の先端は背面板の近傍で背面板との境界をなす折り曲げ線と平行に上蓋板の両端縁に達する折り曲げ線を形成すると共に、
前記蓋前面板の先端縁中央寄りには表側から切り込まれた半切れ線を介してロック片が連設され、蓋前面板の両側縁にはロック片と近接して折り曲げ線を介して折り返し片が連設され、
蓋前面板、両側の蓋側板を折り曲げ蓋体部を組み立て、ロック片は蓋前面板の内側に折り曲げ、折り返し片は折り曲げて蓋前面板の内側面に貼着し、
前記上板片を半切れ線と第２半切れ線で２重に折り曲げて前記正面板の上縁部外面に重合貼着させると共に、上板片の第３半切れ線より先端部分を内側に折り曲げて上蓋板の先端縁内面側に貼着し、さらに前記上板折り曲げ片を半切れ線で内側に折り曲げて前記上蓋板の両側縁内面側に貼着したことを特徴とする、請求項１又は２記載の簡易開封式密閉紙箱。
【請求項４】
前記上蓋板の両端縁に連設された蓋側板は、上蓋板に設けられた折り曲げ線より背面板寄りは切り欠いてあることを特徴とする、請求項３記載の簡易開封式密閉紙箱。
【請求項５】
前記上板片並びに上板折り曲げ片の上蓋板に設けられた折り曲げ線と重なる個所に、切り欠き部を設けたことを特徴とする、請求項３又は４記載の簡易開封式密閉紙箱。
【発明の詳細な説明】
【０００１】
【発明の属する技術分野】
本発明は、例えば粉末洗剤等の内容物を収納し、開封前には完全密封されている簡易開封式密封紙箱に関する。
【０００２】
【従来の技術】
粉末洗剤等の内容物を収納する密封紙箱は、洗剤の消費量の増加に伴い、多量に消費されているが、内容物が湿気を嫌うものであるため、紙箱開封前の密封性が良好で、しかも開封作業が容易に行えるように構成しなければならなかった。
【０００３】
この種の紙箱として、例えば、実開平２−４８５２９号公報に記載された考案がある。
この考案は、図７に示すように、正面板（２０１）と、該正面板の両側縁に設けた２枚の側板（２０２、２０３）と、一方の側板の一側縁に設けた背面板（２０４）と、前記背面板の上縁に設けられた上蓋板（２１３）と、前記２枚の側板の下縁にそれぞれ設けられた２枚の折込片（２０７、２０８）と、前記正面板及び背面板の下縁にそれぞれ設けられた２枚の底板（２０６、２０９）とを順次折り曲げて構成されるカートンにおいて、前記２枚の側板の上縁にそれぞれ上板折曲片（２１１、２１２）を表側及び裏側からそれぞれ切り込まれた２本のハーフカット線（２２８ａ、２２８ｂ、２３２ａ、２３２ｂ）を介して設け、かつ前記正面板の上縁に上板片（２１０）を折線（２２９）を介して設けると共に該上板片には前記折線と平行に所定間隔を保ってもう１本の折線（２３０）並びに表側及び裏側からそれぞれ切り込まれた２本のハーフカット線（２３１ａ、２３１ｂ）を設け、前記上板片を折線で２重に折り曲げて前記正面板の上縁部外面に重合貼着すると共に上板片の表側ハーフカット線より先端部分を内側に折り曲げて前記上蓋板の先端縁内側に貼着し、さらに前記上板折曲片を表側ハーフカット線で内側に折り曲げて前記上蓋板の両側縁内面側に貼着してなる簡易開封式密閉カートンとしたものである。
【０００４】
このような構造からなるので、開封前にあっては内容物を完全密封状態で収容し、また上蓋を持ち上げるだけで紙の層間剥離によって開封することができる。さらに使用後は上蓋を閉じるだけでロック状態に固定され、不用意に持ち上がることはない。さらにまた層間剥離した開口部は再び重なって密封性が比較的良好に保たれる。
【０００５】
【発明が解決しようとする課題】
しかしながら、上蓋板と２つの側板及び正面板の上縁全面が貼着されているので、開封のきっかけがないため上蓋板を開く際の開封強度が高いという問題がある。（開封には正面中央からの開封で４０〜５０Ｎ程度、左又は右側面からの開封で６０Ｎ程度の力を必要とする。）
【０００６】
本発明は、実開平２−４８５２９号公報の考案に関する以上のような問題に鑑みてなされたもので、密封性や再封性を維持して、上蓋板を開く際の開封強度を落として開封性を改良した発明である。
【０００７】
【課題を解決するための手段】
本発明の請求項１の発明は、一枚の板紙を打ち抜いて得られるブランクシートを組み立てた箱体部と蓋体部が連設して成る紙製密封容器であって、該蓋体部には、蓋体を変形させるための折り曲げ線が設けられていることを特徴とする簡易開封式密封紙箱である。
【０００８】
このように請求項１記載の発明によれば、蓋体部には、蓋体を変形させるための折り曲げ線が設けられているので、開封時に蓋体部を持ち上げるようにして開けようとすると、蓋体部は折り曲げ線に沿って変形して力が集中してかかるので開封が容易になる。
【０００９】
また、請求項２の発明は、請求項１の発明において、前記折り曲げ線は、蓋体部の一方の端縁からもう一方の端縁にまで形成されていることを特徴とする、簡易開封式密封紙箱である。
【００１０】
このように請求項２記載の発明によれば、蓋体部の一方の端縁からもう一方の端縁まで折り曲げ線が形成されているので、蓋体部を持ち上げるように開けると蓋体部全体が折り曲げ線に沿って変形して力が集中してかかるので開封が容易になる。
【００１１】
また、請求項３の発明は、請求項１又は２の発明において、前記紙製密封容器は、正面板と、該正面板の両側縁に設けられた２枚の側面板と、一方の側面板の一側縁に設けられた背面板と、前記２枚の側面板の下縁にそれぞれ設けられた２枚の折り込み片と、前記正面板及び背面板の下縁にそれぞれ設けられた２枚の底面板とを順次折り曲げて構成される箱体部と、前記背面板の上縁に順次設けられた上蓋板と蓋前面板と、前記上蓋板の両側縁に設けられた蓋側板とを、順次折り曲げて構成される蓋体部と、から成り、前記２枚の側面板の上縁には、それぞれ上板折り曲げ片が表側及び裏側からそれぞれ切り込まれた２本の半切れ線を介して設けられ、かつ前記正面板の上縁には、裏側から切り込まれた半切れ線を介して上板片が連設され、上板片の裏側から切り込まれた半切れ線の近傍に前記裏側から切り込まれた半切れ線と平行に２本の表側から切り込まれた半切れ線が設けられ、さらにその先縁に２本の表側から切り込まれた半切れ線と平行に裏側から切り込まれた半切れ線が設けられ、前記上蓋板の蓋前面板との境界の中央部より略左右対称に上蓋板の背面板寄りの隅角方向に適宜の長さの折り曲げ線が設けられ、該折り曲げ線の先端は背面板の近傍で背面板との境界をなす折り曲げ線と平行に上蓋板の両端縁に達する折り曲げ線を形成すると共に、前記蓋前面板の先端縁中央寄りには表側から切り込まれた半切れ線を介してロック片が連設され、蓋前面板の両側縁にはロック片と近接して折り曲げ線を介して折り返し片が連設され、蓋前面板、両側の蓋側板を折り曲げ蓋体部を組み立て、ロック片は蓋前面板の内側に折り曲げ、折り返し片は折り曲げて蓋前面板の内側面に貼着し、前記上板片を半切れ線と第２半切れ線で２重に折り曲げて前記正面板の上縁部外面に重合貼着させると共に、上板片の第３半切れ線より先端部分を内側に折り曲げて上蓋板の先端縁内面側に貼着し、さらに前記上板折り曲げ片を半切れ線で内側に折り曲げて前記上蓋板の両側縁内面側に貼着したことを特徴とする、請求項１又は２記載の簡易開封式密閉紙箱である。
【００１２】
このように請求項３の発明によれば、上蓋板の蓋前面板との境界の中央部より略左右対称に上蓋板の背面板寄りの隅角方向に適宜の長さの折り曲げ線が設けられ、該折り曲げ線の先端は背面板の近傍で背面板との境界をなす折り曲げ線と平行に上蓋板の両端縁に達する折り曲げ線を形成すると共に、蓋前面板の両側縁にはロック片と近接して折り曲げ線を介して折り返し片が連設されているので、開封時に蓋体部の両隅を指で押し上げる際、紙端面が指にあたらず指が痛くない。また、蓋体部は折り曲げ線に沿って変形するので開け易い。
【００１３】
また、前側面板の先縁には表側から切り込まれた半切れ線を介してロック片が連設されているので、一度開封した後、再封する際には、ロック片を内側に折り曲げて再封することにより、ロック片が正面板の上端縁に重合積層された上板片の端縁とロック状態に固定され、蓋体部が不用意に持ち上がることがない。
【００１４】
また、請求項４の発明は、請求項３の発明において、前記上蓋板の両端縁に連設された蓋側板は、上蓋板に設けられた折り曲げ線より背面板寄りは切り欠いてあることを特徴とする、簡易開封式密閉紙箱である。
【００１５】
このように請求項４の発明によれば、上蓋板の両端縁に連設された蓋側板は、上蓋板に設けられた折り曲げ線より背面板寄りは切り欠いてあるので、紙箱を開封する際、蓋体部が変形し易く、開封がより容易になる。
【００１６】
また、請求項５の発明は、請求項３又は４の発明において、前記上板片並びに上板折り曲げ片の上蓋板に設けられた折り曲げ線と重なる個所に、切り欠き部を設けたことを特徴とする、簡易開封式密閉紙箱である。
【００１７】
このように請求項５の発明によれば、上板片並びに上板折り曲げ片の上蓋板に設けられた折り曲げ線と重なる個所に切り欠き部を設けたので、蓋体部に手指をあてて開封する際、上蓋板の折り曲げ線を形成している個所は、上板片並びに上板折り曲げ片を避けており、変形し易く開封が容易になる。
【００１８】
【発明の実施の形態】
本発明の簡易開封式密閉紙箱を一実施形態に基づいて以下に詳細に説明する。
図１は、本発明の簡易開封式密閉紙箱の展開平面図である。
図１から明らかなように、正面板（１１）の右側縁には折り曲げ線を介して右側面板（１２）が、その左側縁には折り曲げ線を介して左側面板（１３）がそれぞれ連設されている。
【００１９】
また、右側面板（１２）の右側縁には折り曲げ線を介して背面板（１４）が連設され、さらに左側面板（１３）の左側縁には折り曲げ線を介して糊代片（１５）が連設されている。
【００２０】
さらに、正面板（１１）、右側面板（１２）、左側面板（１３）及び背面板（１４）の下縁には密閉紙箱の底部を構成する底面板（１６、１６）及び折り込み片（１７、１７）がそれぞれ折り曲げ線を介して連設されている。
【００２１】
右側面板（１２）の上縁には表側及び裏側から所定の深さに切り込まれた２本の半切れ線（ａ、ｂ）を介して上板折り曲げ片（１２１）が連設され、さらに、左側面板（１３）の上縁には表側及び裏側から所定の深さに切り込まれた２本の半切れ線（ａ、ｂ）を介して上板折り曲げ片（１３１）が連設されている。
【００２２】
なお、上記表側から切り込まれた２本の半切れ線（以下表半切れ線という）（ａ）は組立時に左右側面板に対する上板折り曲げ片の折り曲げ線を形成する。
【００２３】
また、正面板（１１）の上端には上板片（１１１）が裏側から所定の深さに切り込まれた半切れ線（以下裏半切れ線という）（ｃ）を介して連設されている。
上板片（１１１）の裏半切れ線（ｃ）の近傍に裏半切れ線（ｃ）と平行に２本の表半切れ線（ｄ、ｅ）が設けられ、さらに、その先縁には２本の表半切れ線（ｄ、ｅ）と平行に裏半切れ線（ｆ）が設けられている。
【００２４】
ここで、上板片（１１１）の裏半切れ線（ｃ）と表半切れ線（ｄ）の間に挟まれた区域を第１重合片（１１１ａ）、表半切れ線（ｄ）と表半切れ線（ｅ）の間に挟まれた区域を第２重合片（１１１ｂ）、表半切れ線（ｅ）と裏半切れ線（ｆ）の間に挟まれた区域を上蓋板貼付片（１１１ｃ）とすると、第１重合片（１１１ａ）と第２重合片（１１１ｂ）の幅（高さ）は略同じとし、また、上蓋板貼付片（１１１ｃ）と上板折り曲げ片（１２１、１３１）の幅（高さ）は略同じとすると見栄えがよい。
【００２５】
一方、背面板（１４）の上縁には蓋体部（Ｂ）を構成する上蓋板（１８）が折り曲げ線を介して連設されており、そして上蓋板（１８）にはさらに折り曲げ線を介して蓋前面板（１８１）が連設され、蓋前面板（１８１）の先端縁中央寄りには表半切れ線（ｈ）を介してロック片（１８２）が連設され、蓋前面板（１８１）の両側縁にはロック片に近接して折り曲げ線を介して折り返し片（１８３）が連設されている。
【００２６】
さらに上蓋板（１８）の左右両側には折り曲げ線を介して蓋体の蓋側板（１８４、１８４）がそれぞれ連設されている。
また、蓋前面板（１８１）の左右両側には貼着片（１８５、１８５）が折り曲げ線を介してそれぞれ連設されている。
【００２７】
また、上蓋板（１８）の蓋前面板（１８１）との境界の中央部より略左右対称に、上蓋板（１８）の背面板（１４）寄りの隅角方向に向けて適宜の長さの斜線状に折り曲げ線が設けられ、その折り曲げ線の先端は背面板（１４）の近傍で背面板との境界をなす折り曲げ線と平行に上蓋板（１８）の両端縁に達し、折り曲げ線（ｇ）を形成している（図２（ａ）参照）。
【００２８】
上蓋板（１８）に形成される折り曲げ線（ｇ）は、図１に限らず、上蓋板（１８）の両端を直線で結んだり、上蓋板（１８）の蓋前面板（１８１）との境界の中央部より略左右対称に、上蓋板（１８）の背面板（１４）寄りの両隅角に向けて直線で結んだり、上蓋板（１８）の背面板（１４）寄りの片方の隅角と上蓋板（１８）の正面板（１１）寄りの片方の隅角を直線で結んで形成しても良い（図２（ａ、ｂ、ｃ、ｄ）参照）。
【００２９】
なお、上蓋板（１８）の両端縁に連設される蓋側板（１８４）は上蓋板の両端縁まで全辺に連設されているのではなく、図１に示すように、折り曲げ線（ｇ）より背面板（１４）寄りはカットしてある。この方が紙箱を開封する際、蓋体が変形し易く、蓋側板（１８４）を上蓋板（１８）の全面に設けるよりも好ましい。
【００３０】
また、紙箱に組み立てた際、箱体部が完全に密封されるように、上板片（１１１）の上方の上蓋板貼付片（１１１ｃ）の両端縁と、上板折り曲げ片（１２１、１３１）の上蓋板貼付片（１１１ｃ）に隣り合う方の端縁は４５°に切り欠いておくと良い。あるいは、隣り合う方の端縁を互いに加えた角度が９０°になるように切り欠いておくと良い。
【００３１】
以上のような構成を有するブランクから本発明の簡易開封式密封紙箱を組み立てるには、先ず、正面板（１１）、右側面板（１２）、左側面板（１３）及び背面板（１４）を折り曲げ線を介して所定方向につぎつぎと折り曲げた後、糊代片（１５）を背面板（１４）の内側に貼着する。
【００３２】
この後、上板折り曲げ片（１２１）、（１３１）を表半切れ線（ａ）を介して内側に折り込み、さらに上板片（１１１）を裏半切れ線（ｃ）を介して外側に折り曲げ、続いて表半切れ線（ｄ）を介してこれとは逆方向に折り曲げることによって、表半切れ線（ｅ）を境に重合積層すると共に、この重合積層した部分を第表半切れ線（ｅ）を介して内側に折り曲げる。
【００３３】
ついで、上蓋板（１８）のロック片（１８２）の両側にある折り返し片（１８３、１８３）を折り返し蓋前面板（１８１）の内側面に貼着した後、蓋前面板（１８１）と両端の蓋側板（１８４、１８４）をそれぞれ内側に折り曲げ、前側面板（１８１）の両側の貼着片（１８５、１８５）をそれぞれ左右の蓋側板（１８４、１８４）の内側面にそれぞれ貼着して蓋体部（Ｂ）を組み立てる。
【００３４】
続いて、上蓋板（１８）を背面板（１４）に対して内側に直角に折り曲げ、上板片（１１１）の折り曲げた表半切れ線（ｅ）より先端の部分、すなわち、上蓋板貼付板（１１１ｃ）を上蓋片（１８）の内側面に貼着すると共に、左右の上板折り曲げ片（１２１、１３１）をそれぞれ上蓋片（１８）の内側両側端面に貼着して密封紙箱の上部を密封する。
【００３５】
一方、粉末洗剤等の内容物を密封紙箱の底部から充填した後、紙箱底部の両底面板（１６、１６）と左右の折り込み片（１７、１７）を順次内側に折り込み、最後に貼着することによって完全密封される。
【００３６】
なお、粉末洗剤等の内容物は紙箱底部から充填する場合に限られず、紙箱の底部を先ず密封しておき、ついで粉末洗剤等の内容物を紙箱の上部から充填して、最後にこの紙箱の上部を上述のようにして密封するようにしても良い。
【００３７】
図３はこのようにして組み立てた本発明の簡易開封式密封紙箱の組立が完了した組立完了図である。この状態にあっては、内容物は完全に密封されている。
【００３８】
本発明の簡易開封式密封紙箱の開封は、例えば、先ず、箱体部（Ａ）を保持する等して固定した後、蓋体部（Ｂ）の蓋前面板（１８１）の折り返し片（１８３）が貼着されている個所を下方から押し上げる。
するとロック片（１８２）と、上板片（１１１）の第１重合板（１１１ａ）と第２重合板（１１１ｂ）との積層重合部分との係止が外れると共に、上板折り曲げ片（１２１、１３１）に切り込まれた表半切れ線（ａ）と裏半切れ線（ｂ）、及び上板片（１１１）の上蓋板貼付片（１１１ｃ）に切り込まれた表半切れ線（ｅ）と裏半切れ線（ｆ）の箇所に剪断力が作用して、この箇所が紙の層間剥離によって図４に示すような開封状態になる（斜線部分が層間剥離を起こしている箇所）。
【００３９】
さらに、本発明の簡易開封式密封紙箱を開封後、再び上蓋を閉じると、層間剥離した部分が再び所定の幅をもって重なり、さらに蓋前面板（１８１）の先端に設けたロック片（１８２）が正面板（１１）の上端縁に重合積層された上板片（１１１）の端縁とロック状態に固定されて、不用意に持ち上がることがなく、再封性に優れている。
【００４０】
つぎに図５は、本発明の簡易開封式密封紙箱の別の実施例を示す展開説明図である。
これは上板片と上板折り曲げ片に切り欠きを設けたもので、蓋体部の折り曲げ易さを追求した発明である。
基本的構造は前述の通りであるが、先の発明との相違点を中心に述べる。
【００４１】
すなわち、上蓋板貼付片（１１１ｃ）の先端縁の中央近傍と、左右双方の上板折り曲げ片（１２１、１３１）の先端縁に切り欠き（ｋ）が穿設されている。
折り曲げ線（ｇ）が形成された上蓋板（１８）の内面側に上蓋板貼付片（１１１ｃ）と左右双方の上板折り曲げ片（１２１、１３１）を貼着した際、折り曲げ線（ｇ）の上に上蓋板貼付片（１１１ｃ）や上板折り曲げ片（１２１、１３１）が重ならないように、折り曲げ線（ｇ）に重なる箇所をあらかじめ切り欠いておくものである。
【００４２】
このような切り欠き（ｋ）を設けることにより、図６に示すように、上蓋板（１８）に上蓋板貼付片（１１１ｃ）や上板折り曲げ片（１２１、１３１）が貼着された箇所でも折り曲げ線（ｇ）の部分は重なっていないので、容易に蓋体部を変形することができ、開封がより容易になる。開封強度は２３Ｎ程度であった。（斜線部分は層間剥離を起こしている箇所である。）
【００４３】
【発明の効果】
以上のように、本発明の簡易開封式密封紙箱は、蓋体の天面に折り曲げ線を入れることで蓋体を変形させ開けやすくすることができる。さらに、蓋体の側板を短くカットすることでさらに開け易くした。
また、蓋体の天面に折り曲げ線を入れることで使用者は折り曲げ線に沿って手を置き、力を加えるように誘導する効果がある。
また、開封時に手が痛くならないように蓋体の両端に折り返し片を設け、裏側に貼着して紙端面が露出しないようにした。
さらに前側面板の先端に設けたロック片が正面板の上端縁に重合積層された上板片の端縁とロック状態に固定されて、不用意に持ち上がることがなく、再封性に優れている。
【図面の簡単な説明】
【図１】本発明の簡易開封式密封紙箱の一実施例を示す、展開説明図である。
【図２】（ａ）〜（ｄ）は本発明の簡易開封式密封紙箱の蓋体部に形成される折り曲げ線の形状の実施例を示す、説明図である。
【図３】本発明の簡易開封式密封紙箱の組立完了後の一実施例を示す、斜視説明図である。
【図４】本発明の簡易開封式密封紙箱の開封後の一実施例を示す、斜視説明図である。
【図５】本発明の簡易開封式密封紙箱の別の実施例を示す、展開説明図である。
【図６】本発明の簡易開封式密封紙箱の開封後の別の実施例を示す、斜視説明図である。
【図７】従来の簡易開封式密封紙箱の一例を示す、展開説明図である。
【符号の説明】
１０‥‥ブランク
１１‥‥正面板
１２‥‥右側面板
１３‥‥左側面板
１４‥‥背面板
１５‥‥糊代片
１６‥‥底面板
１７‥‥折り込み片
１８‥‥上蓋板
１１１‥‥上板片
１１１ａ‥第１重合片
１１１ｂ‥第２重合片
１１１ｃ‥上蓋板貼付片
１２１‥‥上板折り曲げ片
１３１‥‥上板折り曲げ片
１８１‥‥蓋前面板
１８２‥‥ロック片
１８３‥‥折り返し片
１８４‥‥蓋側板
１８５‥‥貼着片
２０１‥‥正面板
２０２‥‥側板
２０３‥‥側板
２０４‥‥背面板
２０６‥‥底板
２０７‥‥折込片
２０８‥‥折込片
２０９‥‥底板
２１０‥‥上板片
２１１‥‥折曲片
２１２‥‥折曲片
２１３‥‥上蓋板
２２８ａ‥ハーフカット線
２２８ｂ‥ハーフカット線
２２９‥‥折線
２３０‥‥折線
２３１ａ‥ハーフカット線
２３１ｂ‥ハーフカット線
２３２ａ‥ハーフカット線
２３２ｂ‥ハーフカット線
ａ‥‥表半切れ線
ｂ‥‥裏半切れ線
ｃ‥‥裏半切れ線
ｄ‥‥表半切れ線
ｅ‥‥表半切れ線
ｆ‥‥裏半切れ線
ｇ‥‥折り曲げ線
ｈ‥‥表半切れ線
Ａ‥‥箱体部
Ｂ‥‥蓋体部
【図１】
2004026283.tif 000003
【図２】
2004026283.tif 000004
【図３】
2004026283.tif 000005
【図４】
2004026283.tif 000006
【図５】
2004026283.tif 000007
【図６】
2004026283.tif 000008
【図７】
2004026283.tif 000009